(57)【特許請求の範囲】
【請求項１】
出力端子が外部負荷と接続され、所定の周波数帯域を有する高周波半導体増幅器であって、
入力電極と、出力電極と、を有し、前記周波数帯域において容量性出力インピーダンスを有する半導体増幅素子と、
前記入力電極と接続された入力整合回路と、
ボンディングワイヤと、第１の伝送線路と、前記第１の伝送線路に縦続接続された第２の伝送線路と、を有する出力整合回路であって、前記ボンディングワイヤは第１の端部と前記第１の端部とは反対の側の第２の端部とを有し、前記第１の端部は前記出力電極に接続されかつ前記第２の端部は前記第１の伝送線路の一方の端部に接続され、前記第１の伝送線路は第１の特性インピーダンスと前記周波数帯域の上限周波数において９０度以下である第１の電気長とを有し、前記第２の伝送線路は前記第１の特性インピーダンスよりも高い第２の特性インピーダンスと前記周波数帯域の中心周波数において４分の１波長変成器となる電気長とを有する出力整合回路と、
を備え、  
前記出力整合回路は、基本波において、前記半導体増幅素子の前記容量性出力インピーダンスと前記外部負荷のインピーダンスとを整合し、
前記半導体増幅素子から前記外部負荷が接続された前記出力整合回路をみた２倍波インピーダンスは、誘導性を保ちつつ開放インピーダンスに近づく周波数軌跡を有する高周波半導体増幅器。
【請求項２】
前記出力側整合回路は、前記第２の伝送線路に縦続接続され、前記第２の特性インピーダンスよりも高い第３の特性インピーダンスと、前記周波数帯域の中心周波数において４分の１波長変成器となる電気長と、を有する第３インピーダンス変換回路をさらに有する請求項１記載の高周波半導体増幅器。
【請求項３】
前記第１の電気長は、前記上限周波数において、２２度以上である請求項１または２に記載の高周波半導体増幅器。
【発明の詳細な説明】
【技術分野】
【０００１】
本発明の実施形態は、高周波半導体増幅器に関する。
【背景技術】
【０００２】
１ＧＨｚ以上の高周波において、無線通信機器、移動通信基地局、レーダー装置などに用いる増幅器には高い電力付加効率が求められる。
【０００３】
半導体増幅素子の出力電極から負荷側をみた高調波インピーダンスを開放インピーダンスの近くすると、電力負荷効率を高めることができる。
【０００４】
１ＧＨｚ以上の周波数において、ＨＥＭＴ（High Electron Mobility Transistor）やＦＥＴ（Field Effect Transistor）など半導体増幅素子の出力インピーダンスは、基本波において容量性である。半導体増幅素子により増幅された信号を効率よく取り出すためには、基本波においては、半導体増幅素子の出力インピーダンスと外部負荷とがインピーダンス整合していることが必要である。
【０００５】
このため、半導体増幅素子と外部負荷とがインピーダンス整合するには、基本波において半導体増幅素子から負荷側をみたインピーダンスは誘導性の所望のインピーダンスであることが必要である。他方、電力付加効率を高めるには、２倍波において半導体素子から負荷側をみたインピーダンスは開放インピーダンス近傍であることが必要である。
【０００６】
２倍波において半導体増幅素子から負荷側をみたインピーダンスを開放インピーダンス近傍にするためにチップ近傍にスタブを用いた高次高調波処理回路を設けると、高次高調波を介して整合回路を縦続接続するため挿入損失が増えるとともに、帯域が狭くなる。
【先行技術文献】
【特許文献】
【０００７】
【特許文献１】特開２００９−２０７０６０号公報
【特許文献２】特開平６−２０４７６４号公報
【発明の概要】
【発明が解決しようとする課題】
【０００８】
高い電力付加効率と広帯域とを容易に実現可能な高周波半導体増幅器を提供する。
【課題を解決するための手段】
【０００９】
実施形態にかかる高周波半導体増幅器は、出力端子が外部負荷と接続され、所定の周波数帯域を有する。高周波半導体増幅器は、半導体増幅素子と、入力整合回路と、出力整合回路と、を有する。前記半導体増幅素子は、入力電極と、出力電極と、を有し、前記周波数帯域において容量性出力インピーダンスを有する。前記入力整合回路は、前記入力電極と接続される。前記出力整合回路は、ボンディングワイヤと、第１の伝送線路と、前記第１の伝送線路に縦続接続された第２の伝送線路と、を有する。前記ボンディングワイヤは第１の端部と前記第１の端部とは反対の側の第２の端部とを有し、前記第１の端部は前記出力電極に接続されかつ前記第２の端部は前記第１の伝送線路の一方の端部に接続される。前記第１の伝送線路は、第１の特性インピーダンスと前記周波数帯域の上限周波数において９０度以下である第１の電気長とを有する。また、前記第２の伝送線路は前記第１の特性インピーダンスよりも高い第２の特性インピーダンスと前記周波数帯域の中心周波数において４分の１波長変成器となる電気長とを有する。さらに、前記出力整合回路は、基本波において、前記半導体増幅素子の前記容量性出力インピーダンスと前記外部負荷のインピーダンスとを整合し、
前記半導体増幅素子から前記外部負荷が接続された前記出力整合回路をみた２倍波インピーダンスは、誘導性を保ちつつ開放インピーダンスに近づく周波数軌跡を有する。
【図面の簡単な説明】
【００１０】
【図１】第１の実施形態にかかる高周波半導体増幅器の構成を示す模式図である。
【図２】図２（ａ）は第３基準面から負荷側をみたインピーダンス図、図２（ｂ）は第１基準面から負荷側をみたインピーダンス図、図２（ｃ）は第２基準面から負荷側をみたインピーダンス図、である。
【図３】伝送線路の幅に対する特性インピーダンスの依存性を示すグラフ図である。
【図４】周波数帯域を説明するグラフ図である。
【図５】第２の実施形態にかかる高周波半導体増幅器の構成を示す模式図である。
【図６】図６（ａ）は第４基準面から負荷側をみたインピーダンス図、図６（ｂ）は第３基準面から負荷側をみたインピーダンス図、である。
【図７】図７（ａ）は第１基準面から負荷側をみたインピーダンス図、図７（ｂ）は第２基準面から負荷側をみたインピーダンス図、である。
【発明を実施するための形態】
【００１１】
以下、図面を参照しつつ、本発明の実施形態について説明する。
図１は、第１の実施形態にかかる高周波半導体増幅器の構成を示す模式図である。
高周波半導体増幅器は、入力端子１０、入力整合回路１２、半導体増幅素子１４、出力整合回路２０、出力端子１８、を有しており、たとえばパッケージに収納されている。なお、半導体増幅素子１４に電圧を供給する直流回路は省略してある。なお、出力端子１８からみて、負荷はＺＬ（Ω）であるものとする。なお、ＺＬは、たとえば、５０Ωとすることができる。
【００１２】
入力整合回路１２は、基本波において、半導体増幅素子１４の入力インピーダンスに対する整合回路とする。
【００１３】
半導体増幅素子１４は、ＧａＡｓ  ＦＥＴ、ＧａＡｓ  ＨＥＭＴ（High  Electron Mobility Transistor)、ＧａＮ  ＨＥＭＴなどとすることができる。たとえば、ワイドバンドギャップ材料を用いたＧａＮ−ＨＥＭＴとすると、耐圧を高くでき、マイクロ波からミリ波の波長範囲で高出力を得ることができる。
【００１４】
半導体増幅素子１４の出力電極（図示せず）からみて負荷側の高調波インピーダンスを十分に高くすると、高い電力付加効率で動作させることができる。すなわち、出力整合回路２０は、高調波に対して高いインピーダンスを保ちつつ、基本波において半導体増幅素子１４の出力インピーダンスと整合を取る。第１の実施形態では、高調波のうち２倍波のインピーダンスを高くするような出力整合回路２０を有する。なお、半導体増幅素子１４の出力インピーダンスＺoutは、たとえば、動作時のインピーダンスを測定することにより求めることができる。
【００１５】
図１の構成において、出力整合回路２０の出力端子１８に外部負荷ＺＬが接続される。第１の実施形態では、出力整合回路２０は、ボンディングワイヤ１５と、第１の伝送線路からなる第１インピーダンス変換回路１６と、第２の伝送線路からなる第２インピーダンス変換回路２１と、を有する。第１インピーダンス変換回路１６は、たとえば、特性インピーダンスがＺＣ１、電気長がＬ１のマイクロストリップ線路などとすることができる。電気長Ｌ１は、０度よりも大きく、９０度以下とする。
【００１６】
なお、電気長Ｌは、次式で求められる。ただし、図１において、半導体増幅素子１４の出力電極からワイヤでボンディングされた位置を第１基準面Ｐ１とするので、伝送線路の長さＭは、第１インピーダンス変換回路１６の物理的長さよりも僅かに短い。
【００１７】
Ｌ＝３６０°×Ｍ／λeff
但し  Ｍ：伝送線路の長さ
λeff：所定の周波数での実効波長
【００１８】
第２インピーダンス変換回路２１の電気長Ｌ２は、増幅器の帯域の中心波数ｆＣにおける４分の１波長変成器に相当する長さとする。本明細書において、「４分の１波長変成器の電気長」とは、９０°に対して±１０％の範囲内を含むものとする。すなわち、８１°以上、９９°以下とする。このようにすれば、第２インピーダンス変換回路２１は、実質的に４分の１波長インピーダンス変成器として作用する。また、特性インピーダンスＺＣ２は、特性インピーダンスＺＣ１よりも高く、負荷インピーダンスＺＬよりも低い。
【００１９】
半導体増幅素子１４の出力電極と第１インピーダンス変換回路１６とはボンディングワイヤ１５により接続される。また、半導体増幅素子１４の出力電極上のボンディング位置を負荷側のインピーダンスをみる場合の第２基準面Ｐ２とする。
【００２０】
図２（ａ）は第３基準面から負荷側をみたインピーダンス図、図２（ｂ）は第１基準面から負荷側をみたインピーダンス図、図２（ｃ）は第２基準面から負荷側をみたインピーダンス図、である。
なお、本明細書において、スミス図は、特性インピーダンスＺＣＣを３Ωとした正規化インピーダンスを表すものとする。すなわち、インピーダンスＺ（＝Ｒ＋ｊＸ）に対する正規化インピーダンスｚは、次式で表される。
【００２１】
ｚ＝Ｚ／ＺＣＣ＝（Ｒ＋ｊＸ）／ＺＣＣ＝ｒ＋ｊｘ
【００２２】
図２（ａ）のように、インピーダンス図上で、負荷インピーダンスをｚＬ、第１インピーダンス変換回路１６の特性インピーダンスをｚＣ１、で示す。
【００２３】
第３基準面Ｐ３から負荷側をみたインピーダンスは、負荷を離れるに従ってドット線に沿って時計回りのインピーダンス軌跡を描き、低インピーダンスに変換される。第１の実施形態において、第２インピーダンス変換回路２１は、基本波に対して４分の１波長変成器として作用する。すなわち、中心周波数ｆＣにおいて、基本波インピーダンスｚＰ３は、抵抗分のみとなり、その抵抗値ｒＰ３（正規化インピーダンス）は次式で表される。
【００２４】
ｒＰ３＝ｚＣ２２／ｚＬ 
【００２５】
このため、周波数帯域ｆＬ〜ｆＨにおいて、第３基準面Ｐ３から負荷側をみた基本波インピーダンスｚＰ３は、図２（ａ）のように、実軸（ｘ＝０）を交差し、半導体増幅素子14の出力インピーダンスと同じ抵抗値の実軸（ｘ＝０）近傍に変換される。また、２倍波インピーダンスｚＰ３２も、実軸（ｘ＝０）を交差し、とくに周波数帯域の高域側では容量性となる。
【００２６】
図２（ｂ）において、第１基準面Ｐ１から負荷側をみた上限周波数ｆＨにおける２倍波インピーダンスが誘導性を維持するように、第１インピーダンス変換回路１６の電気長Ｌ１は、０度以上、かつ９０度以下とする。このため、中心周波数ｆＣにおいて、基本波インピーダンスｚＰ１は、容量性である。
【００２７】
図２（ｃ）は、ボンディングワイヤ１５の誘導性リアクタンスが加えられ、第２基準面Ｐ２から負荷側をみたインピーダンスである。周波数ｆにおける基本波インピーダンスｚＰ２は、第１基準面Ｐ１から負荷側をみたインピーダンスｚＰ１に、ボンディングワイヤ１５のインダクタンスＬｗによる２πｆ×Ｌｗ／ＺＣＣなるリアクタンス分を加えたものとなり、誘導性に転じつつ半導体増幅素子１４の出力インピーダンスｚoutと整合することができる。  
【００２８】
図２（ｃ）は、第２インピーダンス変換回路２１の電気長Ｌ２を、増幅器の帯域の中心波数ｆＣにおける４分の１波長変成器に相当する長さとすることで、基本波インピーダンスｚＰ２は、帯域内での軌跡は狭く、広帯域が容易なったことを示している。このとき、２倍波インピーダンスｚＰ２２は、第１基準面Ｐ１において誘導性に保たれた２倍波インピーダンスｚＰ１２に、４πｆ×Ｌｗ／ＺＣＣなるリアクタンス分が加わったものとなるので、開放インピーダンスにより近づく。このため、半導体増幅素子１４内に２倍波を閉じ込め、電力付加効率を高めることができる。
【００２９】
（表１）は、第１インピーダンス変換回路１６および第２インピーダンス変換回路２１をそれぞれ構成する伝送線路の特性インピーダンスおよび電気長の一例を示すグラフ図である。
【００３０】
【表１】
0005619055.tif 000002
【００３１】
（表１）のシミュレーションによれば、理想ケースにおいて、第２インピーダンス変換回路２１を構成する伝送線路の特性インピーダンスＺＣ２は、１８Ωであり、その電気長Ｌ２は中心波長ｆＣで９０度とする。また第１インピーダンス変換回路１６を構成する伝送線路の特性インピーダンスＺＣ１は、２．４Ωであり、その上限周波数ｆＨにおける電気長Ｌ１は９０度である。
【００３２】
ケース１において、第２インピーダンス変換回路２１は理想ケースと同じとするが、第１インピーダンス変換回路１６を構成する伝送線路の特性インピーダンスＺＣ１は、１．０Ωであり、その上限周波数ｆＨにおける電気長Ｌ１は２２度である。
【００３３】
また、ケース２では、第２インピーダンス変換回路２１は理想ケースと同じとするが、第１インピーダンス変換回路１６を構成する伝送線路の特性インピーダンスＺＣ１は、０．７Ωであり、その上限周波数ｆＨにおける電気長Ｌ１は１６度である。
【００３４】
ケース１では、第１の電気長Ｌ１を小さくした分、第１インピーダンス変換回路１６の特性インピーダンスＺＣ１を低くし、ボンディングワイヤ１５のインダクタンスＬｗを大きくすることで基本波における整合をとることはできる。インダクタンスＬｗを大きくすると、第２基準面Ｐ２における２倍波反射係数は０．８９以上と高くできる。しかしながら、実現可能な特性インピーダンスには、下限値がある。
【００３５】
図３は、伝送線路幅に対する特性インピーダンスの依存性を示すグラフ図である。
縦軸は特性インピーダンス（Ω）、横軸は線路幅（ｍｍ）、である。なお、マイクロストリップ線路を構成する基板は、比誘電率を９０、基板厚さを０．１ｍｍとした。実装性を考慮すると、線路幅は、４ｍｍ以下であることが好ましい。すなわち、特性インピーダンスの下限値は、（表１）から１Ωとなる。この結果、第１インピーダンス変換回路１６の電気長Ｌ１は、２２度以上であることが好ましい。
【００３６】
半導体増幅素子１４の近傍にスタブ回路を設けても、負荷側をみたインピーダンスを開放インピーダンスに近づけることができる。しかし、この場合、挿入損失が増大する。また、基本波インピーダンスは、半導体増幅素子のチップ端面よりも低下し、広帯域にわたって基本波インピーダンスを整合させることが困難となることがある。これに対して、第１の実施形態では、挿入損失の増大を抑制しつつ、広帯域な整合が可能である。
【００３７】
図４は、周波数帯域を説明するグラフ図である。
周波数帯域は、たとえば、１〜２０ＧＨｚの中のいずれかの範囲とする。出力整合回路２０が、基本波に対して整合が取れ、かつ２倍波に対して開放インピーダンスに近い高インピーダンスとすると、周波数帯域の下限周波数ｆＬと、上限周波数ｆＨと、の間で電力付付加効率を高くできる。２倍波インピーダンスが開放インピーダンスから遠ざかると、半導体増幅素子１４に反射できずに漏れ出る２倍波が増加し、破線のように電力付加効率が低下する。
【００３８】
図５は、第２の実施形態にかかる高周波半導体増幅器の構成を示す模式図である。
第２の実施形態にかかる高周波半導体増幅器の出力整合回路２０は、第２の伝送線路２１に縦続接続され、前記第２の特性インピーダンスＺＣ２よりも高い第３の特性インピーダンスＺＣ３と所定の周波数帯域の中心周波数ｆＣにおける４分の１波長変成器の電気長Ｌ３を有し、第３の伝送線路からなる第３インピーダンス変換回路２２をさらに有する。
【００３９】
特性インピーダンスは、ＺＣ１＜ＺＣ２＜ＺＣ３＜ＺＬとする。また、電気長Ｌ３は、中心周波数ｆＣで、８１度以上、９９度以下とするので、第３インピーダンス変換回路２２は、４分の１波長変成器として作用する。
【００４０】
図６（ａ）は第４基準面から負荷側をみたインピーダンス図、図６（ｂ）は第３基準面から負荷側をみたインピーダンス図、である。      
図６（ａ）において、中心周波数ｆＣにおいて，第４基準面Ｐ４から負荷側をみた基本波インピーダンスｚＰ４は、略抵抗分のみとなり、その値ｒＰ４は次式で表される。
【００４１】
ｒＰ４＝ｚＣ３２／ｚＬ
【００４２】
図６（ｂ）において、第２インピーダンス変換回路２１は、４分の１波長変成器として作用する。この結果、中心周波数ｆＣにおいて，第３基準面Ｐ３から負荷側をみた基本波インピーダンスｚＰ３は、略抵抗分のみとなり、その値ｒＰ３は次式で表される。
【００４３】
ｒＰ３＝ｚＣ２２／ｚＰ４
【００４４】
図６（ｂ）において、第３基準面Ｐ３から負荷側をみた基本波インピーダンスｚＰ３は、略抵抗であり、インピーダンス図の中心近傍とできる。他方、２倍波インピーダンスｚＰ３２は、周波数帯域の上限周波数の２倍において、容量性となっている。
【００４５】
図７（ａ）は第１基準面から負荷側をみたインピーダンス図、図７（ｂ）は第２基準面から負荷側をみたインピーダンス図、である。
第１インピーダンス変換回路１６の電気長Ｌ１を９０°以下とすることで、図７（ａ）において、第１基準面Ｐ１からみた上限周波数ｆＨの２倍の周波数において、２倍波インピーダンスｚＰ１２は誘導性となり、容量性となることはない。
【００４６】
図７（ｂ）は、ボンディングワイヤ１５の誘導性インピーダンスがさらに加えられたインピーダンスである。第２基準面Ｐ２から負荷側をみたインピーダンスｚＰ２は、変化が小さく広帯域を確保できる。また、第１基準面Ｐ１からみた２倍波インピーダンスは誘導性に保たれているので、ボンディングワイヤ１５の誘導性リアクタンスが加わることにより、さらに開放インピーダンスに近づく。このため、２倍波が半導体素子１４に閉じ込められ、電力付加効率を高めることができる。なお、第２の実施形態においても、第１インピーダンス変換回路１６を構成する伝送線路の上限周波数ｆＨにおける電気長Ｌ１は、２２度以上とすることが好ましい。
【００４７】
一般に、Ｆ級増幅器では、増幅素子近傍の出力側に、整合回路が縦続接続された高調波処理回路を有しており、高次高調波成分を半導体増幅素子に閉じ込めることで電力付加効率を高めている。
【００４８】
これに対して、第１および第２の実施形態では、高次高調波処理回路を用いず、増幅素子１４の出力側に、伝送線路からなるインピーダンス変換回路を縦続接続する。この場合、伝送線路の特性インピーダンスと、電気長と、を変化することにより、基本波インピーダンスと、２倍波インピーダンスと、を所望の範囲に容易に変換することができる。このため、２倍波インピーダンスを開放インピーダンスに保ちつつ、基本波インピーダンスを半導体増幅素子１４の出力インピーダンスｚoutに整合させることができる。このようにして得られた高周波半導体増幅器は、簡素な構造でありながら、要求される電力付加効率を十分に確保することができる。
【００４９】
第１および第２の実施形態により、高い電力付加効率と広い帯域とを実現可能な高周波半導体増幅器が提供される。このような高周波半導体増幅器は、１ＧＨｚ以上の高周波において、無線通信機器、移動通信基地局、レーダー装置などに広く用いることができる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１２  入力整合回路、１４  半導体増幅素子、１５  ボンディングワイヤ、１６  第１インピーダンス変換回路、１８  出力端子、２０  出力整合回路、２１  第２インピーダンス変換回路、２２  第３インピーダンス変換回路、ＺＬ  外部負荷、ＺＣ１、ＺＣ２、ＺＣ３  （伝送線路の）特性インピーダンス、Ｌ１、Ｌ２、Ｌ３  電気長、ｆＬ  下限周波数、ｆＣ  中心周波数、ｆＨ  上限周波数  
【図１】
0005619055.tif 000003
【図２】
0005619055.tif 000004
【図３】
0005619055.tif 000005
【図４】
0005619055.tif 000006
【図５】
0005619055.tif 000007
【図６】
0005619055.tif 000008
【図７】
0005619055.tif 000009